(57)【要約】【課題】すき鋏と呼ばれる種類の理容用の鋏に関し、切断する髪の割合を、切る位置毎に調整して、髪の毛を膨らませたり薄くしたりする新しい理容技術を実施できるようにする。【解決手段】  指の開閉動作により切断作用を行う刃体の両方を多数の凸歯の先端辺に切刃を設けた凹凸刃とし、この両刃体を連結している支点ピンの挿通孔の一方を長孔とすることにより、刃体の一方を他方に対してその長手方向に移動可能にした。１回の切断操作毎に、切断される髪の毛の量と切り残される髪の毛の量との割合を、鋏を持った片手で自由に変化させることができる。【選択図】図１
2012187355.tif 000002
【特許請求の範囲】
【請求項１】
開閉動作により切断作用を行う刃体の両方を凸歯の先端に刃を設けた凹凸状の刃体とし、この両刃体を連結している支点ピンの挿通孔を長孔とすることにより、刃体の一方を他方に対してその長手方向に移動可能にした理容用の鋏において、一方の刃体の操作端に設けた親指挿通孔に挿通した親指の刃体の開閉操作の方向と略直交する刃体の長手方向への押動ないし移動により、一方の刃体が他方の刃体に対して長手方向に相対移動可能にしたことを特徴とする、理容用の鋏。
【請求項２】
前記長孔が操作端に親指挿通孔を設けた刃体側に形成されている、請求項１記載の理容用の鋏。
【請求項３】
前記支点ピンの長孔を設けた側の端部に当該支点ピンの軸心と直交して当該長孔を設けた刃体表面に摺接する摩擦面を備えていることを特徴とする、請求項１又は２記載の理容用の鋏。
【請求項４】
前記支点ピンの長孔を設けていない刃体側の端部と当該側の刃体との間に、前記摩擦面を長孔を設けた刃体の表面に弾圧する弾圧部材が介装されている、請求項３記載の理容用の鋏。
【請求項５】
前記長孔を設けた刃体の他方の刃体との合せ面に、当該長孔の側面に沿う溝が形成され、この溝に支点ピンに向く辺を波形辺とした合成樹脂板が嵌合されていることを特徴とする、請求項１又は２記載の理容用の鋏。
【請求項６】
操作端に親指挿通孔を設けた刃体を他方の刃体に対して前記操作端側に付勢するばねを備えている、請求項１記載の理容用の鋏。
【発明の詳細な説明】
【技術分野】
【０００１】
この発明は、理容（美容を含む）用の鋏に関するもので、刃の両方が凹凸状（凹凸刃）になっていて、挟んだ髪の毛の一部だけが切断されるすき鋏と呼ばれる種類の鋏に関するものである。
【背景技術】
【０００２】
一般的なすき鋏は、片方の刃が細かい凹凸状になっていて、その凸歯の先端に刃が設けられている。すき鋏で髪を切ると、凸歯の先端で挟まれた髪の毛のみが切断され、凸歯の間の谷の部分（凹の部分）の髪の毛は切断されない。従って、すき鋏で髪を切ると、その切断位置より先の頭髪の量が減少し、垂れ下がった髪を納まりのよい形に整えることができる。
【０００３】
鋏は良好な切れ味を保持するために、刃を砥いで使用するが、上記構造のすき鋏は、直線刃の凸歯と噛み合う部分だけが摩耗して切れ味が悪くなり、一方、凹の部分に対向している部分は、摩耗しないで良好な切れ味を保持している。そこで、鋏を砥ぐ回数を減らすことを目的として、直線刃に対して凸歯の１ピッチ又はこれより小さいストロークで刃体相互をずらして固定できるようにしたすき鋏が下記特許文献１ないし３により提案されている。
【０００４】
更に、特許文献１には、鋏の両方の刃を凹凸刃とした理容ないし美容用の鋏において、２つの刃体を枢着している支点ピンの一方の孔を長孔として刃体の一方が他方に対して刃体の長手方向に移動可能とし、かつその移動ストロークの複数の位置において長孔を設けた刃体と支点ピンとの相対位置を係止する係止手段を設けることにより、両刃体の長手方向の枢着位置を変更できるようにしたすき鋏が開示されている。
【０００５】
この構造のすき鋏は、両刃体の枢着位置を変更することにより、両側の凸歯の刃先に形成した刃相互の噛み合い長さが変化し、挟んだときに切られる髪の量と切り残る髪の量とが変化する。そのため、当該構造のすき鋏を使用することにより、切られる髪と切れ残る髪の割合が異なる複数のすき鋏を使い分ける必要がなくなるとしている。
【０００６】
髪形は、他人に対する人の印象を決定付ける大きな要因の一つである。また、髪の毛は、その色、量、１本１本の太さ、硬さ、生えている方向、カールしているかしてないか、カールしているときの曲がりの程度や方向など、人によって様々である。また、顔や頭の形も人によって様々である。このような状況の中で客の求めに応じつつ、美しくかつ人に好印象を与える髪形を整えるために様々な理容技術が考えられ、用いられてきた。前述したすき鋏は、このような理容技術の一つとして、頭髪の膨らみを抑える道具として用いられているものである。
【先行技術文献】
【特許文献】
【０００７】
【特許文献１】特開２００１−３００１５６号公報
【特許文献２】特開２００２−９７２号公報
【特許文献３】特開２００３−２１０８７０号公報
【発明の概要】
【発明が解決しようとする課題】
【０００８】
本願の発明者は、髪を部分的に膨らませたり、薄くしたりすることによって、より良い髪形を作る理容技術を提案し、その技術の普及を図ろうとしている者である。その技術は、すき鋏で行うのと同様に、髪の一部を切断するものであるが、切断する髪の毛の根元からの距離及び切断する髪の割合を変化させることによって、切断した部分に膨らみを持たせたり、膨らみを押えたりすることによって髪形を整えるというものである。
【０００９】
この技術を実践するためには、髪の毛の量や硬さやカールの程度などに応じて切断する髪の毛の根元からの長さや切断する髪の割合を、どの程度膨らませるか、あるいはどの程度薄くするかに応じて、切る位置毎にに微妙に調整しなければならない。
【００１０】
この新しい理容技術は、生えている位置を考慮して取り上げた一束の髪を掴んで持ち上げ、持ち上げた髪の毛の根元の方から複数回に分けて鋏を入れるという操作で行う。この理容を行うための個々の切断操作は、挟んだ髪の毛の一部を切断するという従来のすき鋏を用いた操作と同じである。しかし、この理容を従来構造のすき鋏を用いて行うことは事実上不可能である。それは、膨らませようとする形や薄くしようとする形に応じて個々の切断位置で切られる髪と切り残される髪の割合を微妙に変える必要があるからである。
【００１１】
切断割合の異なる複数のすき鋏は存在するが、１回切る毎に鋏を交換するのは煩雑であるし、切断割合の異なるすき鋏がそれほど多種類用意されているわけでもない。また、特許文献１に記載されているような切断量を調整できるようにした鋏では、その切断量の調整のために両手を使う操作が必要であり、片手で髪の束を持ち上げた状態でこれを行うことは不可能である。
【００１２】
そのため、上記理容技術を実践する際には、取り上げた一束の髪から編み棒で髪を縫うようにして一部の髪を引き出し、引き出した髪を一般的な鋏やすき鋏で切断するという操作を行う必要があった。しかし、この操作は、手間がかかる上に高度の熟練を必要とし、上述した新しい理容技術の普及の妨げとなっている。
【００１３】
この発明は、この問題を解決するためになされたもので、頭髪から選り分けて取り出した髪を１回の切断操作毎に、切断される髪の毛の量と截断されないで切り残される髪の毛の量との割合を、鋏を持った片手で自由に変化させて切ることが可能な鋏を提供することを課題としている。
【課題を解決するための手段】
【００１４】
この発明の理容用の鋏は、開閉動作により切断作用を行う刃体１ａ、１ｂの両方を多数の凸歯２１の先端辺に切刃２３を設けた凹凸刃とし、この両刃体を連結している支点ピン１２の挿通孔の一方を長孔１１とすることにより、刃体の一方１ａを他方１ｂに対してその長手方向に移動可能にした鋏である。
【００１５】
この発明の理容用の鋏は、一方の刃体１ａの操作端に設けた親指挿通孔１３に挿通した親指を当該刃体１ａの開閉操作の方向と略直交する刃体１ａの長手方向へ押動ないし移動させることのみにより、係止具を外す操作などを行うことなく、一方の刃体１ａが他方の刃体１ｂに対して刃体の長手方向に相対移動するように、両刃体１ａ、１ｂが結合されている。
【００１６】
長孔１１は、操作端に親指挿通孔１３を設けた側の刃体１ａに形成し、操作端に人差し指ないし小指が掛けられる側の刃体１ｂの支点ピン挿通孔は丸孔２５とする。
【００１７】
一方の刃体１ａの他方の刃体１ｂに対する刃体長手方向の相対移動には、均一な若しくは間欠的な抵抗を付与するか、一方向の反発力が加わるようにするのが好ましい。
【００１８】
例えば、支点ピン１２の長孔１１を設けた側の端部に、長孔を設けた刃体１ａの表面と摺接する摩擦面を備えた摩擦板２４を設ける。当該摩擦面は、樹脂や低摩擦材の面とし、刃体１ａの相対移動に対して、移動の各位置で均一でかつ操作者の親指に負担が掛からない摩擦力を作用させる。摩擦面は、支点ピン１２の軸心と直交する面とするのが、摩擦力が安定する点で好ましい。このような摩擦面を設けたときは、摩擦面と刃体表面との当接力を安定化させるために、長孔を設けていない刃体１ｂとその側の支点ピンの頭部２６との間に、摩擦面を長孔を設けた刃体１ａの表面に弾圧するばね２８を介装するのが好ましい。
【００１９】
刃体長手方向の相対移動に間欠的な抵抗を付与するには、例えば、長孔１１の辺を摩擦抵抗が小さくかつ金属より弾性変形しやすい波形辺３３とする。具体的構造としては、長孔を設けた刃体１ａの他方の刃体１ｂとの合せ面に、長孔１１の側面に沿う溝３１を形成し、この溝に支点ピン１２に向く辺を波形辺３３とした合成樹脂板３２を嵌合し、この樹脂板の波形辺３３により、長孔１１に沿う支点ピン１２の移動に間欠的な抵抗を付与する。
【００２０】
刃体の相対移動に一方向の反発力が加わるようにするには、長孔を設けた側の刃体１ａと他方の刃体１ｂとの間又は支点ピン１２との間に、ばね４３を介装すればよい。このばねは、親指挿通孔１３を設けた刃体１ａを根本側（反刃先側）に付整するように設けるのが好ましく、両刃体の枢着部に露出しないように設ける。この構造は、凸歯２１のピッチｐが短い鋏に対して特に有効である。
【発明の効果】
【００２１】
この発明の理容用の鋏は、一方の刃体の操作端に設けた親指挿通孔に親指を差し込み、他方の刃体の操作端に他の指を掛けた状態で、当該他の指に対して親指を刃体の長手方向に移動させ、又は押圧することにより、鋏の開閉操作を行っているときの指の状態を保持したまま、片手で個々の切断操作毎に切断される髪の割合を変化させることができる。
【００２２】
この鋏の使用に慣れた理容師であれば、親指の微妙な移動によって刃体を相対移動させて切断される髪の量を思いのままに変化させることができる。しかし、それほど熟練していない理容師にとって、親指の移動のみによって刃体の相対位置を設定することは、かなり難しい。長孔に沿う刃体の移動に抵抗する摩擦面を設けて、長孔に沿う刃体の移動に若干の力を要するようにすると、両刃体の相互位置の調整が若干容易になる。
【００２３】
更に、枢支部に装着した樹脂板３２の連続する凹円弧３４を設けた波形辺３３により、支点ピン１２が長孔１１に沿う複数の位置で安定するようにしてやれば、両刃体１ａ、１ｂの相対位置の調整が熟練しない者にとっても容易に可能になる。この場合、親指挿通孔１３に通した親指に刃体長手方向の力を加えることによって、支点ピン１２が隣接する凹円弧３４に移動し得るように当該辺の波の高さを設定する。樹脂板３２の弾性変形と金属に対する小さい摩擦係数により、隣接する凹円弧間の支点ピン１２の移動を円滑にすることができる。
【００２４】
刃体１ａ、１ｂの相互位置関係の調整を他の指に対する親指の位置で調整することに比べて、親指に加える力の強さで調整することは、一般的にはより容易である。鋏を操作するために操作端に指を掛けている状態では、親指に刃体の先端側に向う力を加える方が反対側に力を加える操作よりやりやすく、強い力も出せる。親指挿通孔１３を設けた側の刃体１ａを他方の刃体１ｂに対して操作端側に付勢するばね４３を設けた構造では、鋏を持った状態で親指を刃の先端側に押す力の調整により、他方の刃体１ｂに対する一方の刃体１ａの移動量を調整することができる。ばねの特性として、刃体１ａ、１ｂの相対移動量とばね４３に加えられる力とは比例するからである。
【図面の簡単な説明】
【００２５】
【図１】実施例の鋏に共通の構造を示す平面図
【図２】長孔を設けた刃体の枢着部付近の拡大図
【図３】対向する凸歯相互の関係を示す第１の図
【図４】対向する凸歯相互の関係を示す第２の図
【図５】第１実施例の鋏における枢着部の分解斜視図
【図６】第２実施例の鋏における枢着部の分解斜視図
【図７】第３実施例の鋏における枢着部の分解斜視図
【図８】第３実施例の鋏における枢着部の要部の拡大平面図
【図９】第４実施例の鋏における枢着部の分解斜視図
【発明を実施するための形態】
【００２６】
以下、幾つかの実施例を示す図面を参照して、この発明を説明する。図１ないし図４は、下記実施例に共通する構成を示した図である。鋏は開閉操作される２つの刃体１ａ、１ｂを備え、両刃体は支点ピン１２で当該支点ピン回りに揺動自在、かつ重ね合わされた状態で連結されている。支点ピン１２は、刃体１ａに設けた当該刃体の長手方向に長い長孔１１と刃体１ｂに設けた丸孔２５を貫通している。ほとんどの理容用の鋏は、一方の刃体１ａの操作端に親指を通す親指挿通孔１３と、操作端の閉位置を規定するストッパ１４とが設けられており、他方の刃体１ｂの操作端に１個の指孔１５と、弧状の指掛け１６とが設けられている。通常、指孔１５には薬指又は中指を通し、指掛け１６に小指又は薬指をあてがい、人差し指は指孔１５より支点ピン１２側の刃体側面に沿わせた状態で開閉操作される。
【００２７】
両刃体１ａ、１ｂの対向する辺は、凹凸状に形成されて、その歯（凸歯）２１の先端に切刃２３が形成されている。従って、両刃体の凸歯２１相互が噛み合う部分の髪の毛のみが切断され、歯の間の凹の部分２２に位置する髪の毛は切断されない。一方の刃体１ａを他方の刃体１ｂに対して長孔１１に沿って相対移動させると、凸歯の頂辺に設けた切刃２３相互の噛み合い長さが変化して、切断される髪の割合が変化する。
【００２８】
すなわち、両刃体の凸歯２１の上辺２３が一致する図３の形態において、切断される髪の割合が最も多くなり、その割合は、凸歯の歯幅ｗ／凹凸の１ピッチｐ、である。一方、凸歯が相手側の凹の部分２２に対向する図４の位置では、ｗ／ｐ＝１／２の場合、切断される髪のの毛の割合は０になる。従って、切断する髪の量を調整するために必要な刃体の相対移動量は、凸歯の幅ｗ以下でよく、長孔１１の長さＬは、凸歯の幅ｗに支点ピン１２の直径ｄを加えた長さ以下でよい。
【００２９】
凸歯２１の数は、従来一般的に用いられているすき鋏より少ない。刃渡り６ｃｍ程度の一般的な鋏では、凸歯の数は４歯程度が適当であるが、髪の毛の太さや強さに応じて使い分けることができるよう、凸歯数の異なる幾種類かの鋏を用意するのがより好ましい。例えば凸歯数を３〜６とすると、歯幅ｗは、５〜１５ｍｍ程度となる。
【００３０】
長孔１１は、図１に示すように、親指挿通孔１３を設けた側の刃体１ａの枢着部に設けるのがよい。これにより、親指の移動量が刃体１ａの移動量に直接反映され、刃体の開閉操作に伴って移動量に微妙なずれが生ずるのを避けることができる。
【００３１】
図５は、最も簡単な構造の第1実施例における刃体１ａ、１ｂ相互の枢着部の構造を示した分解斜視図である。図に示すように、両刃体１ａ、１ｂは、長孔１１と丸孔２５を貫通する支点ピン１２で枢着されている。長孔１１は、親指挿通孔１３を設けた側の刃体１ａに設けられており、鋏の開閉操作を行いながら、親指挿通孔１３に挿通した親指を鋏の開閉操作の方向と略直交する方向に微少移動させることにより、刃体１ｂに対して刃体１ａが長孔１１の長手方向に移動し、凸歯の頂辺２３相互のかみ合い長さが変化し、一回の開閉操作によって截断される髪の割合が変化する。
【００３２】
図６は、図５の鋏にその刃体１ａ、１ｂ相互の相対移動に抵抗を与える摩擦板２４を設けた鋏の枢支部の分解斜視図である。支点ピン１２は、刃体１ｂに設けた丸孔２５と刃体１ａに設けた長孔１１を貫通している。支点ピン１２は、刃体１ｂ側の端部に頭２６を備え、親指挿通孔１３を設けた刃体１ａ側の端部に雄ねじを備えている。支点ピン１２には、平板状の摩擦板２４が挿通され、前記雄ねじに螺合されたナット２７で締結されている。摩擦板２４の刃体１ａに向く面が摩擦面となっている。摩擦板２４は、合成樹脂や低摩擦材で形成されている。
【００３３】
支点ピンの頭２６とその側の刃体１ｂとの間には、円錐状の板材からなるばね座金２８が介装されている。このばね座金２８は、摩擦板２４の摩擦面を刃体１ｂの表面に押圧している。
【００３４】
摩擦板２４の摩擦面は、摩擦係数の小さい面である。これにより、繰り返し刃体を移動させることによる親指の疲労を避けることができる。刃体１ａの親指挿通孔１３に通した親指は、刃体１ａを先端側へ押す力を出しやすい。そのため、摩擦面に付与する摩擦抵抗は、刃体１ａが先端側に移動するときの摩擦抵抗が大きく、逆側に移動するときの摩擦抵抗が小さい摩擦面とするのが好ましい。このような摩擦面は、弾力性のある材料で、かつ摩擦面の刃体長手方向の段面を微細な鋸歯状段面とすることにより実現することができる。
【００３５】
図７は、この発明の第３実施例の枢着部の分解斜視図である。第３実施例の鋏においては、刃体１ａの相手側の刃体１ｂに重ね合わされる面に、長孔１１の長手方向に沿って浅い溝３１が設けられ、この溝３１に合成樹脂板３２が、その波形辺３３を長孔１１の側部に若干はみ出すようにして、嵌合されている。
【００３６】
樹脂板３２の波形辺３３は、図８に示すように、連続する凹円弧３４を備えている。凹円弧３４の曲率は、支点ピン１２の周面の曲率に合せてあり、隣接する凹円弧相互の間隔（ピッチ）ｑは、刃体相互の移動量を何段階に設定可能にするかによって決める。支点ピン１２が長孔１１を貫通する部分では、ピン１２の周面一箇所が樹脂板の波形辺３３に当接し、その反対側が長孔の辺３５に当接している。
【００３７】
この状態で刃体１ｂに長孔１１に沿う方向の力を加えると、その力が所定の力を超えたときに、支点ピン１２は波の１個を乗り越えて隣の凹円弧へと移動する。この移動は、操作者の親指に感覚として伝わるから、操作者はその感触の数を数えることによって、刃体１ａの相手側の刃体１ｂに対する移動量を感知することができる。従って、この実施例の構造によれば、熟練しない操作者でも比較的容易に刃体相互の移動量、すなわち切断操作をしたときに切られる髪の毛の割合を設定することができる。
【００３８】
図９は、この発明の第４実施例における枢着部の分解斜視図である。この第４実施例においては、長孔１１を設けた刃体１ａの相手側の刃体１ｂとの重ね合わせ面に、ばね収納部４１と基端係合部４２とが凹部として形成されている。ばね収納部４１には、Ｕ字状に屈曲した線ばね４３が、その基端を係合部４２に嵌合して挿入されている。ばね４３の先端は、長孔１１に挿通した支点ピン１２の周面に当接しており、ばね４３はそのＵ字の幅が広くなく方向に刃体１ａを付勢している。鋏を持った親指に力をかけない状態では、刃体１ａは相手側の刃体１ｂに対して最も操作端側に移動した位置にあり、親指に刃体１ａを刃先側に押す力を加えることにより、その力の強さに比例したストロークで刃体１ａが相手側の刃体１ｂに対して刃先側に移動する。
【００３９】
すなわち、この第４実施例の構造によれば、鋏を持っている手の親指に加える力の強さによって、刃体の相対移動量、従って切断操作を行ったときに切られる髪の毛の割合を調整することができる。
【符号の説明】
【００４０】
1a,1b  刃体
11  長孔
12  支点ピン
13  親指挿通孔
21  凸歯
23  切刃
24  摩擦板
31  溝
32  合成樹脂板
33  波形辺
43  ばね
【図１】
2012187355.tif 000003
【図２】
2012187355.tif 000004
【図３】
2012187355.tif 000005
【図４】
2012187355.tif 000006
【図５】
2012187355.tif 000007
【図６】
2012187355.tif 000008
【図７】
2012187355.tif 000009
【図８】
2012187355.tif 000010
【図９】
2012187355.tif 000011